(57)【要約】      （修正有）【課題】上面側または側面側から彫刻刀により彫刻される工作物の作業性を向上させた回転彫刻台を提供する。【解決手段】万力２は上面側または側面側から彫刻刀により彫刻される工作物をコマ７ｂ、７ｃで挟み込んで固定し、万力２は平面上で回転自在に作業台１に搭載され、作業台１には工作物を拡大して映し出す拡大鏡３も設けられ、万力２を回転させるだけで工作物を彫り易い位置にもってくることができ、拡大鏡３により工作物を拡大して映し出すので、細かい彫刻作業を容易に行うことができる。【選択図】図１
0003196554.tif 000002
【実用新案登録請求の範囲】
【請求項１】
上面側または側面側から彫刻刀により彫刻される工作物を挟み固定する万力と、
前記万力を平面上で回転自在に搭載した作業台と、
前記作業台に設けられ前記工作物を拡大して映し出す拡大鏡とを備えたことを特徴とする回転彫刻台。
【考案の詳細な説明】
【技術分野】
【０００１】
本考案は、工作物を挟み込んで加工作業を行う万力を回転可能にした回転彫刻台に関する。
【背景技術】
【０００２】
例えば、印鑑の印面に文字を彫るには印鑑部材を万力で挟み込んで保持し、印鑑の印面に彫刻刀で印面縁の内部を削り出して文字を彫り出す。この作業において、文字の形状に応じて印鑑の印面を彫り易くするために、印鑑の印面を回転させて削り出しを行っている。印鑑の印面を回転させるには、万力を回転させ印鑑の印面を彫り易い位置にもってくるようにしている。
【０００３】
ここで、回転万力台として、球体と接触するコマを上下させ球体を制御することによって、万力台を３６０°平面回転可能とし、３６０°のどの方向にも万力台を９０°傾斜させることできるようにしたものがある（特許文献１参照）。
【先行技術文献】
【特許文献】
【０００４】
【特許文献１】実開平５−９３７６０号公報
【考案の概要】
【考案が解決しようとする課題】
【０００５】
しかし、特許文献１のものでは、工作物を挟み直すことなく３６０°のどの方向にも万力台を９０°傾斜させることできるので、傾斜角や方向角を自由自在に変化できるが、
ヤスリをかける、鋸で切る、ドリルで穴を開ける、溶接をする、グラインダーをかける等の作業を行う際には、工作物を固定する必要がある。特に、傾斜角を持たせた方向からの作業の場合にはコマが球体により支持されているので工作物の固定は難しくなる。３６０°の平面回転した方向角で平面と垂直方向（上方向）からの作業の場合には、上方向からの力が工作物に加わるだけなので工作物を固定することは比較的容易であるが、コマが球体により支持されているので、傾斜角を持った方向から大きな力が加わると工作物の固定に支障を来すことになる。
【０００６】
本考案の目的は、上面側または側面側から彫刻刀により彫刻される工作物の作業性を向上させた回転彫刻台を提供することである。
【課題を解決するための手段】
【０００７】
本考案に係る回転彫刻台は、上面側または側面側から彫刻刀により彫刻される工作物を挟み固定する万力と、前記万力を平面上で回転自在に搭載した作業台と、前記作業台に設けられ前記工作物を拡大して映し出す拡大鏡とを備えたことを特徴とする。
【考案の効果】
【０００８】
本考案によれば、作業台に、上面側または側面側から彫刻刀により彫刻される工作物を挟み固定する万力を平面上で回転自在に搭載したので、万力を回転させるだけで工作物を彫り易い位置にもってくることができる。また、万力は平面上で回転自在に取り付けているので、傾斜角を持った方向から力が加わったとしても工作物の固定に支障を来すことなく、彫刻作業を行うことができる。さらに、工作物を拡大して映し出す拡大鏡を作業台に設けたので、細かい彫刻作業を容易に行うことができる。
【図面の簡単な説明】
【０００９】
【図１】図１は本考案の実施形態に係る回転彫刻台の一例を示す斜視図である。
【図２】図２は図１に示した本考案の実施形態に係る回転彫刻台の分解斜視図である。
【図３】図３は図１に示した本考案の実施形態に係る回転彫刻台の万力に工作物を挟んだ場合の万力の上面図である。
【考案を実施するための形態】
【００１０】
以下、本考案の実施形態を説明する。図１は本考案の実施形態に係る回転彫刻台の一例を示す斜視図である。作業台１の上面には、万力２が平面上で回転自在に搭載され、万力２が挟持した工作物を拡大して映し出す拡大鏡３が設けられている。
【００１１】
万力２は、万力本体４の両端部に側壁部５ａ、５ｂが形成され、その側壁部５ａ、５ｂの間に、当て木６、複数個のコマ７ａ〜７ｄが配置され、さらに、側壁部５ａには締付ボルト８が設けられて構成される。複数個のコマ７ａ〜７ｄのうち、中央部のコマ７ｂ、７ｃは工作物を挟むための段差部９を有している。後述するように、この段差部９に工作物が挟み込まれる。
【００１２】
締付ボルト８は、先端部が当て木６に当接し、締付ボルト８を締める方向に回転させると、当て木６を側壁部５ｂの方向に押し出す。当て木６が側壁部５ｂの方向に押し出されると、複数個のコマ７ａ〜７ｄが側壁部５ｂの方向に移動し、中央部のコマ７ｂ、７ｃの段差部９に挟み込まれた工作物が固定されることになる。中央部のコマ７ｂ、７ｃ以外のコマ７ａ、７ｄは、工作物の大きさにより、挿入されることもあれば、取り出されることもある。工作物が大きいときはコマ７ａ、７ｄは取り出され、当て木６が移動する距離が調整される。
【００１３】
作業台１には脚部１０が取り付けられ、脚部１０の上部には拡大鏡３を保持する保持部１１が設けられている。保持部１１は拡大鏡３が万力２により挟持された工作物の上部に位置するように、着脱自在に保持部１１に装着される。
【００１４】
次に、図２は、図１に示した本考案の実施形態に係る回転彫刻台の分解斜視図である。図１と同一要素には同一符号を付し重複する説明は省略する。図２に示すように、作業台１には円柱状凸部１２が設けられ、万力本体４の下部には、この円柱状凸部１２が挿入される円筒状の穴が穿設され、この穴の穿設により円筒状凹部１３が形成されている。万力本体４の円筒状凹部１３は、作業台１の円柱状凸部１２に挿入され、万力２は、作業台１の平面上で作業台１に回転自在に搭載される。
【００１５】
また、拡大鏡３は、その取っ手１４が保持部１１の挿入孔１５に差し込まれて装着され、取っ手１４の差し込み位置を調節することで、拡大鏡３のレンズ部が万力２により挟持された工作物の上部に位置するように調整される。
【００１６】
図３は、図１に示した本考案の実施形態に係る回転彫刻台の万力に工作物を挟んだ場合の万力の上面図である。図２と同一要素には同一符号を付し重複する説明は省略する。図３に示すように、中央部のコマ７ｂ、７ｃの段差部９に工作物１６を挟み込む。図３では、工作物１６は印鑑である場合を示している。また、図３では、中央部のコマ７ｂ、７ｃ以外のコマ７ａ、７ｄのうちコマ７ａを取り外した場合を示している。これは、前述したように、工作物の大きさに応じて当て木６が移動する距離を調整するためである。これにより、締付ボルト８を締める方向に回転させると、当て木６を側壁部５ｂの方向に押し出し、中央部のコマ７ｂ、７ｃの段差部９に挟み込まれた工作物１６を固定することになる。
【００１７】
万力２は、作業台１の円柱状凸部１２に万力本体４の円筒状凹部１３が挿入されて、作業台１の平面上で作業台１に回転自在に搭載されているので、図３に示すように、作業台１の円柱状凸部１２の中心を軸として、作業台１の平面上で、矢印Ｘ１方向（左回転方向）及び矢印Ｘ２方向（右方向回転方向）に回転させることができる。これにより、文字の形状に応じて印鑑の印面の位置を変化させることができるので、彫り易くなり作業性が向上する。
【００１８】
このように、本考案の実施形態では、作業台１の円柱状凸部１２に万力本体４の円筒状凹部１３を挿入して、作業台１の平面上で左回転方向Ｘ１及び右方向回転方向Ｘ２に回転させるので、傾斜角を持った方向から力が加わったとしても工作物の固定に支障を来すことない。工作物１６を拡大して映し出す拡大鏡３を作業台に設けているので、細かい彫刻作業を容易に行うことができる。すなわち、上面側から彫刻刀により彫刻される工作物１６、例えば、印鑑の彫刻に好適である。また、側面から彫刻刀により彫刻される工作物１６、例えば、根付の彫刻にも適用できる。
【００１９】
以上、本考案の実施形態を説明したが、この実施形態は、例として提示したものであり、考案の範囲を限定することは意図していない。これら新規な実施形態は、その他の様々な形態で実施されることが可能であり、考案の要旨を逸脱しない範囲で、種々の省略、置き換え、変更を行うことができる。この実施形態やその変形は、考案の範囲や要旨に含まれるとともに、実用新案登録請求の範囲に記載された考案とその均等の範囲に含まれる。
【符号の説明】
【００２０】
１…作業台、２…万力、３…拡大鏡、４…万力本体、５…側壁部、６…当て木、７…コマ、８…締付ボルト、９…段差部、１０…脚部、１１…保持部、１２…円柱状凸部、１３…円筒状凹部、１４…取っ手、１５…挿入孔、１６…工作物
【図１】
0003196554.tif 000003
【図２】
0003196554.tif 000004
【図３】
0003196554.tif 000005